(57)【要約】【課題】動的キャパシタンスを補償して画質を改善する。【解決手段】γ値によって決まる第１階調レベルに該当する第１階調電圧を複数フレーム時間に渡って画素電極に印加し（Ｓ１１１０）、第２階調レベル（＝第１階調レベル＋所定階調レベル差）に該当する第２階調電圧を１フレーム時間に渡って画素電極に印加し（Ｓ１１２０）、再度第１階調電圧を複数フレーム時間に渡って画素電極に印加する（Ｓ１１３０）。ステップＳ１１２０中に測定された最大輝度に対応する階調電圧値を第３階調電圧とし、第１〜第３階調電圧を保存し（Ｓ１１４０）、第１〜第３階調電圧をγ値に応じた第１〜第３階調レベルに変換し保存する（Ｓ１２００）。これを全ての階調レベルについて行う。外部から現在フレームデータが供給されると、現在及び前フレームデータに対応する第３及び第１階調電圧が読出され、対応する第２階調電圧が読出されて動的キャパシタンス補償階調レベルが提供される。【選択図】図５
2006072361.tif 000002
【特許請求の範囲】
【請求項１】
複数のゲートラインとデータライン、並びに、前記ゲートラインとデータラインにより画定される領域に形成されて、対応するゲートライン及び対応するデータラインに接続しているスイッチング素子及び前記スイッチング素子と共通電極間に提供されるキャパシタを含む複数の画素が形成されている液晶パネルと、
前記ゲートラインにゲート信号を提供するゲート駆動部と、
前記データラインにデータ信号に該当する所定のガンマ値を有する階調レベルに対する階調電圧を提供するデータ駆動部と、
前記所定のガンマ値を有する階調レベルに対する階調電圧を生成して、前記データ駆動部に伝達する階調電圧生成部と、
前記所定のガンマ値を有する第１階調電圧を複数フレーム時間に渡って画素電極に印加し、前記第１階調電圧と所定の差を有する第２階調電圧を１フレーム時間に渡って前記画素電極に印加し、前記第２階調電圧が印加されたときに前記１フレーム時間の間に前記画素電極から得られる極点の階調電圧に関連した第３階調電圧を印加して、前記第１階調電圧、前記第２階調電圧及び前記第３階調電圧をルックアップテーブルに保存し、複数の第１階調電圧それぞれに対して前記第２階調電圧及び前記第３階調電圧を前記ルックアップテーブルに保存する動的キャパシタンス補償階調電圧生成部、及び、前記ルックアップテーブルに保存されている前記第１階調電圧、前記第２階調電圧及び前記第３階調電圧を受信して、前記第１階調電圧、前記第２階調電圧及び前記第３階調電圧を、前記所定のガンマ値を用いてそれぞれ第１階調レベル、第２階調レベル、及び第３階調レベルに変換して、前記第１階調レベルは前フレームの階調レベルで、前記第３階調レベルは現在フレームの階調レベルで、前記第２階調レベルは動的キャパシタンス補償の階調レベルでそれぞれ保存し、前記現在フレームのデータに対する階調レベルと前記前フレームのデータに対する階調レベルを比較して、その比較結果によって動的キャパシタンス補償階調レベルを生成して、前記データ駆動部に前記動的キャパシタンス補償階調レベルを提供する動的キャパシタンス補償階調レベル生成部とを含む動的キャパシタンス補償処理部と
を含むことを特徴とする液晶表示装置。
【請求項２】
前記第１階調電圧は、前記第２階調電圧が印加される前に３フレーム時間以上に渡って前記画素電極に印加されることを特徴とする請求項１に記載の液晶表示装置。
【請求項３】
前記第１階調電圧は、前記第２階調電圧が印加された後に３フレーム時間以上に渡って前記画素電極に印加されることを特徴とする請求項１に記載の液晶表示装置。
【請求項４】
前記第１階調電圧は、前記第２階調電圧が印加される前及び前記第２階調電圧が印加された後に等しい数のフレーム時間、前記画素電極に印加されることを特徴とする請求項１に記載の液晶表示装置。
【請求項５】
複数のゲートラインとデータライン、並びに、前記ゲートラインとデータラインにより画定される領域において、前記ゲートライン及び前記データラインに接続されているスイッチ及び前記スイッチと共通電極間に提供されるキャパシタを有する複数の画素を有する液晶パネルと、
前記ゲートラインに信号を提供するゲート駆動部と、
前記データラインに階調電圧を提供するデータ駆動部と、
階調電圧を提供する階調電圧提供部であって、
ＬＣＤの透過率を示して階調電圧の関数である複数のデータのうちから３個の測定されたデータ毎に２次式係数セットを保存する第１ルックアップテーブルと、
所定のガンマ値に対して、階調レベルと透過率Ｔの関係がＴ＝Ｔｍａｘ*（階調レベル／階調レベルの最大値）γを満足する階調レベルと透過率を計算するための第２ルックアップテーブルと、
前記保存された２次式係数セットと前記保存された階調レベル及び透過率を利用して、区分的２次補間方法により階調レベルに対する階調電圧を生成して、前記階調電圧を前記データ駆動部に伝達する階調電圧生成部と
を含む階調電圧提供部と
を含むことを特徴とする液晶表示装置。
【請求項６】
前記第２ルックアップテーブルには、前記隣接する３個の測定データのうち最終２個あるいは最終１個の測定データは、次に隣接する３個の測定データの一番目及び二番目あるいは一番目測定データを重畳させて、前記次に隣接する３個の測定データを満足する２次式係数セットが計算されて保存されることを特徴とする請求項５に記載の液晶表示装置。
【請求項７】
前記階調電圧生成部は、前記所定のガンマ値が所定の階調レベルの範囲と前記所定の階調レベルの範囲外で相異なる場合に、各ガンマ値により定められる階調レベルに対する透過率を計算して、前記第２ルックアップテーブルに保存することを特徴とする請求項５に記載の液晶表示装置。
【請求項８】
前記階調電圧生成部は、前記所定のガンマ値が変更される場合に、前記変更された値γ１に対して式Ｔ＝Ｔｍａｘ*（階調レベル／階調レベルの最大値）γ１を満足する新しい透過率を計算して、前記第２ルックアップテーブルに保存し、前記第１ルックアップテーブルに保存されている２次式係数セットと前記第２ルックアップテーブルに保存されている前記階調レベルと新しい透過率を利用して区分的２次補間方法で階調レベルに対する変更された階調電圧を生成することを特徴とする請求項５に記載の液晶表示装置。
【請求項９】
複数のゲートライン及びデータライン、並びに前記ゲートラインとデータラインにより画定される領域において前記ゲートライン及び前記データラインに接続されているスイッチ及び前記スイッチと共通電極間に提供されるキャパシタを有する複数の画素を有する液晶パネルと、
前記ゲートラインに信号を提供するゲート駆動部と、
前記データラインに階調電圧を提供するデータ駆動部と、
階調電圧を提供する階調電圧提供部であって、
ＬＣＤの透過率を示して階調電圧の関数である複数のデータのうちから３個の測定されたデータ毎に２次式係数セットを保存する第１ルックアップテーブルと、
所定のガンマ値に対して、階調レベルと透過率Ｔの関係がＴ＝Ｔｍａｘ*（階調レベル／階調レベルの最大値）γを満足する階調レベル及び透過率を計算するための第２ルックアップテーブルと、
前記保存された２次式係数セットと前記保存された階調レベル及び透過率を利用して、区分的２次補間方法により階調レベルに対する階調電圧を生成して、前記階調電圧を前記データ駆動部に伝達する階調電圧生成部と
を含む階調電圧提供部と、
前記ガンマ値を有する階調レベルのうちから第１階調レベルに該当する第１階調電圧を複数フレーム時間に渡って画素電極に印加して、前記所定のガンマ値を有する階調レベルのうちから第１階調レベルと所定の階調レベル差を有する第２レベルに該当する第２階調電圧を１フレーム時間に渡って前記画素電極に印加し、前記第１階調電圧を複数のフレーム時間に渡って前記画素電極に印加して、前記第２階調電圧を印加する１フレーム時間に渡って前記画素電極で測定された階調電圧値のうちから極点の階調電圧値を第３階調電圧として定義して、前記第１階調電圧、前記第２階調電圧及び前記第３階調電圧を保存し、複数の相異なる第１階調電圧それぞれに対して第２階調電圧及び第３階調電圧を動的キャパシタンス補償の階調電圧のルックアップテーブルに保存する動的キャパシタンス補償階調電圧生成部、及び、前記第１階調電圧、前記第２階調電圧及び前記第３階調電圧を前記所定のガンマ値を利用してそれぞれ第１階調レベル、第２階調レベル及び第３階調レベルに変換して、前記第１階調レベルは前フレームの階調レベルで、前記第３階調レベルは現在フレームの階調レベルで、前記第２階調レベルは動的キャパシタンス補償階調レベルで保存し、現在フレームの階調レベルと前フレームの階調レベルを比較し、その比較結果によって前記データ駆動部に動的キャパシタンス補償の階調レベルを提供する動的キャパシタンス補償階調レベル生成部を含む動的キャパシタンス補償処理部と
を含むことを特徴とする液晶表示装置。
【請求項１０】
前記第１階調電圧は、前記第２階調電圧が印加される前に３フレーム周期以上、前記画素電極に印加されることを特徴とする請求項９に記載の液晶表示装置。
【請求項１１】
前記第１階調電圧は、前記第２階調電圧が印加された後に３フレーム周期以上、前記画素電極に印加されることを特徴とする請求項９に記載の液晶表示装置。
【請求項１２】
前記第１階調電圧は、前記第２階調電圧が印加される前及び前記第２階調電圧が印加された後に、等しいフレーム時間、前記画素電極に印加されることを特徴とする請求項９に記載の液晶表示装置。
【請求項１３】
前記第１ルックアップテーブルには、前記隣接する３個の測定データのうち最終２個あるいは１個の測定データは、次に隣接する３個の測定データの一番目及び二番目あるいは一番目測定データを重畳させて前記次に隣接する３個の測定データを満足する２次式係数セットが計算され保存されることを特徴とする請求項９に記載の液晶表示装置。
【請求項１４】
前記階調電圧生成部は、前記所定のガンマ値が所定の階調レベルの範囲と前記所定の階調レベルの範囲外で相異なる場合に、各ガンマ値に該当する階調レベルに対する透過率を計算して前記階調レベル及び透過率の前記第２ルックアップテーブルに保存することを特徴とする請求項９に記載の液晶表示装置。
【請求項１５】
前記階調電圧生成部は、前記所定のガンマ値が変更される場合に、前記変更された値γ１に対して式Ｔ＝Ｔｍａｘ*（階調レベル／階調レベルの最大値）γ１を満足する新しい透過率を計算して、前記第２ルックアップテーブルに保存して、前記第１ルックアップテーブルに保存されている２次式係数セットと前記第２ルックアップテーブルに保存されている前記階調レベルと新しい透過率値を利用して、区分的２次補間方法により階調レベルに対する変更された階調電圧を生成することを特徴とする請求項９に記載の液晶表示装置。
【請求項１６】
動的キャパシタンス補償階調電圧を保存する保存ステップであって、
所定のガンマ値を有する第１階調レベルに該当する第１階調電圧を複数フレーム時間、画素電極に印加する第１ステップと、
前記所定のガンマ値を有する階調レベルのうちから第１階調レベルと所定の階調レベル差を有する第２レベルに該当する第２階調電圧を１フレーム時間、前記画素電極に印加する第２ステップと、
前記第１階調電圧を複数のフレーム時間、前記画素電極に印加する第３ステップと、
前記第２階調電圧を印加する１フレーム時間に前記画素電極で測定された階調電圧値のうちから極点の階調電圧値を第３階調電圧として定義して、前記第１階調電圧、前記第２階調電圧及び前記第３階調電圧を動的キャパシタンス補償階調電圧のルックアップテーブルに保存する第４ステップと
を含む動的キャパシタンス補償階調電圧の保存ステップと、
前記第１階調電圧、前記第２階調電圧及び前記第３階調電圧を前記所定のガンマ値による第１階調レベル、第２階調レベル及び第３階調レベルに変換して、前記第１階調レベルは前フレームの階調レベルで、前記第３階調レベルは現在フレームの階調レベルで、前記第２階調レベルは動的キャパシタンス補償の階調レベルで保存する動的キャパシタンス補償の階調レベルの変換ステップと
を含むことを特徴とする液晶表示装置における動的キャパシタンス補償ための階調レベル決定方法。
【請求項１７】
前記動的キャパシタンス補償階調電圧の保存ステップは、複数の相異なる第１階調電圧それぞれに対して前記第１〜第４ステップを繰り返して実施することを特徴とする請求項１６に記載の階調レベル決定方法。
【請求項１８】
前記第１ステップにおいて、前記第１階調電圧は３フレーム時間以上、前記画素電極に印加されることを特徴とする請求項１６に記載の階調レベル決定方法。
【請求項１９】
前記第３ステップにおいて、前記第１階調電圧は３フレーム時間以上、前記画素電極に印加されることを特徴とする請求項１６に記載の階調レベル決定方法。
【請求項２０】
前記第１ステップにおいて前記第１階調電圧が印加される複数のフレーム時間は、前記第３ステップにおいて前記第１階調電圧が印加される複数のフレーム時間と等しいことを特徴とする請求項１６に記載の階調レベルの決定方法。
【請求項２１】
階調電圧に対する液晶表示装置の透過率を測定した複数のデータのうち隣接する３個の測定データ毎に前記隣接する３個の測定データを満足する２次式係数セットを計算して第１ルックアップテーブルに保存する２次式係数セットの保存ステップと、
所定のガンマ値γに対して階調レベルと前記液晶表示装置の透過率Ｔの関係が式Ｔ＝Ｔｍａｘ*（階調レベル／階調レベルの最大値）γを満足する階調レベル及び透過率を計算して、第２ルックアップテーブルに保存する階調レベル及び透過率の保存ステップと、
前記第１ルックアップテーブルに保存されている２次式係数セットと前記第２ルックアップテーブルに保存されている前記階調レベル及び透過率を利用して、区分的２次補間方法により階調レベルに対する階調電圧を生成する階調レベル及び階調電圧決定ステップと
を含むことを特徴とする液晶表示装置のガンマ値補正方法。
【請求項２２】
前記所定のガンマ値が変更された場合に、変更されたガンマ値γ１を利用して、式Ｔ＝Ｔｍａｘ*（階調レベル／階調レベルの最大値）γ１を満足する新しい透過率を計算し、前記保存された階調レベル及び透過率を更新して、前記第２ルックアップテーブルに前記更新された透過率を保存する階調レベル及び透過率更新ステップをさらに含むことを特徴とする請求項２１に記載のガンマ値補正方法。
【請求項２３】
前記第２次式係数セットの保存ステップにおいて、前記隣接する３個の測定データのうち最終２個あるいは１個の測定データは、次に隣接する３個の測定データの一番目及び二番目あるいは一番目測定データを重畳させて前記次に隣接する３個の測定データを満足する２次式係数セットを計算し、前記第１ルックアップテーブルに保存することを特徴とする請求項２１に記載のガンマ値補正方法。
【請求項２４】
前記階調レベル及び透過率の保存ステップにおいて、前記所定のガンマ値が所定の階調レベルの範囲と前記所定の階調レベルの範囲外で相異なる場合に、各ガンマ値に該当する階調レベルに対する透過率を計算して前記第２ルックアップテーブルに保存することを特徴とする請求項２１に記載のガンマ値補正方法。
【請求項２５】
所定のガンマ値γを有する階調レベルのうちから第１階調レベルに該当する第１階調電圧を複数フレーム時間に渡って画素電極に印加する第１ステップ、前記所定のガンマ値を有する階調レベルのうちから第１階調レベルと所定の階調レベル差を有する第２レベルに該当する第２階調電圧を１フレーム時間に渡って前記画素電極に印加する第２ステップ、前記第１階調電圧を複数フレーム時間に渡ってに前記画素電極に印加する第３ステップ及び前記第２階調電圧を印加した１フレーム時間に前記画素電極で測定された階調電圧値のうちから極点の階調電圧値を第３階調電圧とし、前記第１階調電圧、前記第２階調電圧及び前記第３階調電圧を動的キャパシタンス補償用の階調電圧のルックアップテーブルに保存する第４ステップを含み、複数の相異なる第１階調電圧それぞれに対して前記第１〜第４ステップを繰り返して実行する動的キャパシタンス補償の階調電圧の保存ステップと、
階調電圧に対する液晶表示装置の透過率を測定した複数のデータのうち隣接する３個の測定データ毎に前記隣接する３個の測定データを満足する２次式係数セットを計算して第１ルックアップテーブルに保存する２次式係数セットの保存ステップと、
前記所定のガンマ値γに対して階調レベルと前記液晶表示装置の透過率Ｔの関係は式Ｔ＝Ｔｍａｘ*（階調レベル／階調レベルの最大値）γを満足する階調レベルと透過率を計算して、第２ルックアップテーブルに保存する階調レベル及び透過率の保存ステップと、
前記第１ルックアップテーブルに保存されている２次式係数セットと前記第２ルックアップテーブルに保存されている前記階調レベルと透過率を利用して、区分的２次補間方法で階調レベルに対する階調電圧を生成する階調レベル及び階調電圧決定ステップと、
前記動的キャパシタンス補償の階調電圧のルックアップテーブルに保存されている前記第１階調電圧、前記第２階調電圧及び前記第３階調電圧を、前記所定のガンマ値による第１階調レベル、第２階調レベル及び第３階調レベルに変換して、前記第１階調レベルは前フレームの階調レベルに、前記第３階調レベルは現在フレームの階調レベルに、前記第２階調レベルは動的キャパシタンス補償の階調レベルに変換する、動的キャパシタンス補償ための階調レベルの変換ステップと
を含むことを特徴とする液晶表示装置の動的キャパシタンス補償ための階調レベルの決定及びガンマ値の補正方法。
【請求項２６】
前記所定のガンマ値が変更された場合に、前記保存された階調レベル及び透過率を変更されたガンマ値γ１を利用して式Ｔ＝Ｔｍａｘ*（階調レベル／階調レベルの最大値）γ１を満足する新しい透過率を計算して更新するステップ、及び、前記更新された透過率を前記第２ルックアップテーブルに保存するステップをさらに含むことを特徴とする請求項２５に記載の方法。
【請求項２７】
前記第１ステップにおいて、前記第１階調電圧は３フレーム時間以上、前記画素電極に印加されることを特徴とする請求項２５に記載の方法。
【請求項２８】
前記第３ステップにおいて、前記第１階調電圧は３フレーム時間以上、前記画素電極に印加されることを特徴とする請求項２５に記載の方法。
【請求項２９】
前記第１ステップにおいて前記第１階調電圧が印加される複数フレーム時間は、前記第３ステップにおいて前記第１階調電圧が印加される複数フレーム時間と等しいことを特徴とする請求項２５に記載の方法。
【請求項３０】
前記第２次式係数セットの保存ステップにおいて、前記隣接する３個の測定データのうち最終２個あるいは１個の測定データは、次に隣接する３個の測定データの一番目及び二番目あるいは一番目測定データを重畳させて前記次に隣接する３個の測定データを満足する２次式係数セットを計算して前記第１ルックアップテーブルに保存することを特徴とする請求項２５に記載の方法。
【請求項３１】
前記階調レベル及び透過率の保存ステップにおいて、前記所定のガンマ値は、所定の階調レベルの範囲と前記所定の階調レベルの範囲外で相異なる場合に、各ガンマ値に該当する階調レベルに対する透過率を計算して前記第２ルックアップテーブルに保存することを特徴とする請求項２５に記載の方法。
【請求項３２】
液晶パネルに対する階調電圧を提供するデータ駆動部と、
液晶表示装置の透過率を示して階調電圧の関数である複数のデータのうちから３個の測定されたデータ毎に２次式係数セットを保存する第１ルックアップテーブルと、
所定のガンマ値に対応する階調レベル及び透過率を保存する第２ルックアップテーブルと、
前記第１ルックアップテーブルに保存された２次式係数セットと前記第２ルックアップテーブルに保存された階調レベル及び透過率を利用して、区分的２次補間方法により階調レベルに対する階調電圧を生成して、前記階調電圧を前記データ駆動部に伝達する階調電圧生成部と
を含むことを特徴とする液晶パネルを有する液晶表示装置。
【請求項３３】
前記第２ルックアップテーブルに保存された前記階調レベル及び透過率は、Ｔ＝Ｔｍａｘ*（階調レベル／階調レベルの最大値）γ（この時、Ｔは透過率、γはガンマ値）を満足することを特徴とする請求項３２に記載の液晶表示装置。
【発明の詳細な説明】
【技術分野】
【０００１】
本発明は、液晶表示装置並びにその動的キャパシタンス補償のための階調レベル決定方法及びガンマ値補正方法に係り、さらに詳細には、動画像の画質及び停止画像の画質を効果的に改善することができる液晶表示装置（ＬＣＤ）、並びに、液晶表示装置における動的キャパシタンスを補償して、動画像の画質を効果的に改善することができるようにするための階調レベル決定方法及び停止画像の画質を効果的に改善することができるようにするためのガンマ値補正方法に関する。
【背景技術】
【０００２】
最近、テレビなどの大型化によって陰極線管表示装置（ＣＲＴ）の代わりに液晶表示装置（ＬＣＤ）、プラズマ表示装置（ＰＤＰ）、有機ＥＬ表示装置（ＯＥＬＤ）等のような平板パネル型表示装置が開発されている。このような平板パネル型表示装置のうち、軽量化及び薄形化が可能な液晶表示装置が特に注目を集めている。
【０００３】
液晶表示装置は、共通電極とカラーフィルタなどが形成されている上部基板と薄膜トランジスタと画素電極などが形成されている下部基板との間に異方性誘電率を有する液晶物質を注入しておき、画素電極と共通電極に相異なる電位を印加することによって液晶物質に形成される電界の強度を調整して液晶物質の分子配列を変更させて、これにより基板に透過される光量を調節することによって、希望する画像を表現する表示装置である。このような液晶表示装置として、薄膜トランジスタ（ＴＦＴ）をスイッチング素子として利用する薄膜トランジスタ液晶表示装置（ＴＦＴ  ＬＣＤ）が主に使われている。
【０００４】
一般に、液晶表示装置は、ガンマ値に基づいて画素電極に伝達される階調電圧が決定される。従来の液晶表示装置は、ガンマ値が決定されると図１に示したように、複数の抵抗Ｒ０〜Ｒ２５５が直列接続されている抵抗列の抵抗値の比率を調節して、抵抗列の各接点に伝えられる電圧ＶＯ＜０＞〜ＶＯ＜２５５＞をガンマ値に該当する階調電圧として利用した。このようなガンマ値は、液晶表示装置の液晶の種類や周辺光量にしたがって補正されることによって液晶表示装置の画面全体の輝度が調節されて、停止画像の画質を効果的に改善することができる（以下の特許文献１を参照）。ところが、従来の液晶表示装置は、ガンマ値を補正するためには抵抗列の各抵抗を交替したり又は可変抵抗を利用して抵抗値を調節しなければならないので、停止画像の画質を效果的に改善することが難しかった。
【０００５】
そして、液晶表示装置の画素電極に階調電圧が伝えられると、液晶物質が該階調電圧に対して応答するのに多少の時間がかかる。したがって希望する画像が表示されるまでに時間遅延は必然的であり、このような時間遅延によって動画像を效果的に表示することができない。液晶表示装置の応答速度を向上させる方法として、動的キャパシタンス補償（ＤＣＣ）方法が開発された。動的キャパシタンス補償方法は、本来の階調電圧より大きい階調電圧が画素電極に印加されるようにすることによって、時間遅延を最小化することである。従来の動的キャパシタンス補償方法は、図２に示したように、前フレームの階調電圧Ｇｋ−１と現在フレームの階調電圧Ｇｋを比較して、その階調電圧差より大きい階調電圧Ｇｂｓｔ１〜Ｇｂｓｔ３を１フレーム時間（例えば、６０Ｈｚである場合１／６０ｓｅｃ）間に前フレームの階調電圧に加えて印加し、１フレーム時間後には本来の階調電圧Ｇｋを印加する。そして、その液晶の応答曲線Ｒｅｓ１〜Ｒｅｓ３を測定して、そのうちから最適の液晶の応答曲線Ｒｅｓ２を捜し出してその階調電圧に該当する階調レベル、前フレームの階調電圧に該当する階調レベル及び現在フレームの階調電圧に該当する階調レベルをルックアップテーブル（ＬＵＴ）に保存し、これに基づいて動的キャパシタンス補償方法を適用した。ところが最適の液晶の応答曲線Ｒｅｓ２は測定者の判断によって決定されるので、測定者毎にそして測定時間毎に誤差が発生して、客観的に最適な動的キャパシタンス補償方法を適用することが難しかった。また、ガンマ値が補正されればガンマ値毎に別個の動的キャパシタンス補償ルックアップテーブルが必要であることから、停止画像の画質及び動画像の画質を同時に改善することが非常に難しかった。
【特許文献１】韓國特許出願公開第2003-0093835号
【発明の開示】
【発明が解決しようとする課題】
【０００６】
本発明が解決しようとする第１の技術的課題は、停止画像の画質及び動画像の画質を効果的に改善することができる液晶表示装置を提供することにある。
本発明が解決しようとする第２の技術的課題は、液晶表示装置において、動画像の画質を効果的の改善することができるようにするための動的キャパシタンス補償の階調レベル決定方法を提供することにある。
本発明が解決しようとする第３の技術的課題は、液晶表示装置において、停止画像の画質を効果的に改善することができるようにするためのガンマ値補正方法を提供することにある。
本発明が解決しようとする第４の技術的課題は、液晶表示装置において、停止画像の画質及び動画像の画質を効果的に改善することができるようにするための動的キャパシタンス補償の階調レベル決定及びガンマ値補正方法を提供することにある。
本発明が解決しようとする技術的課題は、以上で言及した技術的課題で制限されるものではなく、また、言及されないまた他の技術的課題は、下記の記載から当業者に明確に理解されることができるであろう。
【課題を解決するための手段】
【０００７】
前記した第１の技術的課題を達成するための本発明の一実施形態による液晶表示装置は、複数のゲートラインとデータライン、並びに、前記ゲートラインとデータラインにより画定される領域に形成されて対応するゲートライン及び対応するデータラインに接続しているスイッチング素子及び前記スイッチング素子と共通電極間に提供されるキャパシタを含む複数の画素が形成されている液晶パネルと、前記ゲートラインにゲート信号を提供するゲート駆動部と、前記データラインにデータ信号に該当する所定のガンマ値を有する階調レベルに対する階調電圧を提供するデータ駆動部と、前記所定のガンマ値を有する階調レベルに対する階調電圧を生成して前記データ駆動部に伝達する階調電圧生成部と、前記所定のガンマ値を有する第１階調電圧を複数のフレーム時間に渡って画素電極に印加して、前記第１階調電圧と所定の差を有する第２階調電圧を１フレーム時間に渡って前記画素電極に印加し、前記第２階調電圧が印加されたときに前記１フレーム時間の間に前記画素電極から得られる極点の階調電圧に関連した第３階調電圧を印加して、前記第１階調電圧、前記第２階調電圧及び前記第３階調電圧をルックアップテーブルに保存し、複数の第１階調電圧それぞれに対して前記第２階調電圧及び前記第３階調電圧を前記ルックアップテーブルに保存する動的キャパシタンス補償階調電圧生成部、及び、前記動的キャパシタンス補償階調電圧のルックアップテーブルに保存されている前記第１階調電圧、前記第２階調電圧及び前記第３階調電圧を受信して、前記第１階調電圧、前記第２階調電圧及び前記第３階調電圧を前記所定のガンマ値を用いてそれぞれ第１階調レベル、第２階調レベル、及び第３階調レベルに変換して、前記第１階調レベルは前フレームの階調レベルで、前記第３階調レベルは現在フレームの階調レベルで、前記第２階調レベルは動的キャパシタンス補償階調レベルでそれぞれ保存し、前記現在フレームのデータに対する階調レベルと前記前フレームのデータに対する階調レベルを比較して、その比較結果によって動的キャパシタンス補償階調レベルを生成して、前記データ駆動部に前記動的キャパシタンス補償階調レベルを提供する動的キャパシタンス補償階調レベル生成部を含む動的キャパシタンス補償処理部を含む。
【０００８】
前記した第１の技術的課題を達成するための本発明の他の実施形態による液晶表示装置は、複数のゲートラインとデータライン、並びに、前記ゲートラインとデータラインにより画定される領域に前記ゲートラインのうち一つのゲートライン及び前記データラインのうち一つのデータラインに接続しているスイッチ及び前記スイッチと共通電極間に提供されるキャパシタを有する複数の画素が形成される液晶パネルと、前記ゲートラインに信号を提供するゲート駆動部と、前記データラインに階調電圧を提供するデータ駆動部と、ＬＣＤの透過率を示して階調電圧の関数である複数のデータのうちから３個の測定されたデータ毎に２次式係数セットを保存する第１ルックアップテーブルと、所定のガンマ値に対して、階調レベルと透過率Ｔの関係がＴ＝Ｔｍａｘ*（階調レベル／階調レベルの最大値）γを満足する階調レベルと透過率を計算するための第２ルックアップテーブル及び前記保存された２次式係数セットと前記保存された階調レベルと透過率を利用して区分的２次補間方法で階調レベルに対する階調電圧を生成して、前記階調電圧を前記データ駆動部に伝達する階調電圧生成部を含む階調電圧提供部を含む。
【０００９】
前記した第１の技術的課題を達成するための本発明の更に他の実施形態による液晶表示装置は、複数のゲートラインとデータライン、並びに、前記ゲートラインとデータラインにより画定される領域に前記ゲートライン一つのゲートライン及び前記データラインのうち一つのデータラインに接続しているスイッチ及び前記スイッチと共通電極間に提供されるキャパシタを有する複数の画素が提供される液晶パネルと、前記ゲートラインに信号を提供するゲート駆動部と、前記データラインに階調電圧を提供するデータ駆動部と、ＬＣＤの透過率を示して階調電圧の関数である複数のデータのうちから３個の測定されたデータ毎に２次式係数セットを保存する第１ルックアップテーブルと、所定のガンマ値に対して、階調レベルと透過率Ｔの関係がＴ＝Ｔｍａｘ*（階調レベル／階調レベルの最大値）γを満足する階調レベルと透過率を計算するための第２ルックアップテーブル及び前記保存された２次式係数セットと前記保存された階調レベルと透過率を利用して、区分的２次補間方法で階調レベルに対する階調電圧を生成して、前記階調電圧を前記データ駆動部に伝達する階調電圧生成部を含む階調電圧提供部と、前記ガンマ値を有する階調レベルのうちから第１階調レベルに該当する第１階調電圧を複数のフレーム時間に渡って画素電極に印加して、前記所定のガンマ値を有する階調レベルのうちから第１階調レベルと所定の階調レベル差を有する第２レベルに該当する第２階調電圧を１フレーム時間に渡って前記画素電極に印加し、前記第１階調電圧を複数フレーム時間に渡って前記画素電極に印加して、前記第２階調電圧を印加する１フレーム時間に前記画素電極で測定された階調電圧値のうちから極点の階調電圧値を第３階調電圧で定義して、前記第１階調電圧、前記第２階調電圧及び前記第３階調電圧を保存し、複数の相異なる第１階調電圧それぞれに対して第２階調電圧及び第３階調電圧を動的キャパシタンス補償用の階調電圧のルックアップテーブルに保存する動的キャパシタンス補償階調電圧生成部及び前記第１階調電圧、前記第２階調電圧及び前記第３階調電圧を前記所定のガンマ値を利用してそれぞれ第１階調レベル、第２階調レベル及び第３階調レベルに変換して、前記第１階調レベルは前フレームの階調レベルで、前記第３階調レベルは現在フレームの階調レベルで、前記第２階調レベルは動的キャパシタンス補償階調レベルで保存し、現在フレームの階調レベルと前フレームの階調レベルを比較し、その比較結果によって前記データ駆動部に動的キャパシタンス補償ための階調レベルを提供する動的キャパシタンス補償階調レベル生成部を含む動的キャパシタンス補償処理部を含む。
【００１０】
前記した第２の技術的課題を達成するための本発明の一実施形態による液晶表示装置の動的キャパシタンス補償ための階調レベルの決定方法は、所定のガンマ値を有する第１階調レベルに該当する第１階調電圧を複数フレーム時間に渡って画素電極に印加する第１ステップ、前記所定のガンマ値を有する階調レベルのうちから第１階調レベルと所定の階調レベル差を有する第２レベルに該当する第２階調電圧を１フレーム時間に渡って前記画素電極に印加する第２ステップ、前記第１階調電圧を複数フレーム時間に渡って前記画素電極に印加する第３ステップ及び前記第２階調電圧を印加した１フレーム時間の間に前記画素電極で測定された階調電圧値のうちから極点の階調電圧値を第３階調電圧として定義して、前記第１階調電圧、前記第２階調電圧及び前記第３階調電圧を動的キャパシタンス補償階調電圧のルックアップテーブルに保存する第４ステップを含む動的キャパシタンス補償階調電圧の保存ステップ、及び、前記第１階調電圧、前記第２階調電圧及び前記第３階調電圧を前記所定のガンマ値による第１階調レベル、第２階調レベル及び第３階調レベルに変換して、前記第１階調レベルは前フレームの階調レベルで、前記第３階調レベルは現在フレームの階調レベルで、前記第２階調レベルは動的キャパシタンス補償ための階調レベルで保存する動的キャパシタンス補償の階調レベルの変換ステップを含む。
【００１１】
前記した第３他の技術的課題を達成するための本発明の一実施形態による液晶表示装置のガンマ値の補正方法は、階調電圧に対する液晶表示装置の透過率を測定した複数のデータのうち隣接する３個の測定データ毎に前記隣接する３個の測定データを満足する２次式係数セットを計算して第１ルックアップテーブルに保存する２次式係数セットの保存ステップと、所定のガンマ値γに対して階調レベルと前記液晶表示装置の透過率Ｔの関係式Ｔ＝Ｔｍａｘ*（階調レベル／階調レベルの最大値）γを満足する階調レベルと透過率を計算して第２ルックアップテーブルに保存する階調レベル及び透過率の保存ステップと、前記第１ルックアップテーブルに保存されている２次式係数セットと前記第２ルックアップテーブルに保存されている前記階調レベルと透過率を利用して、区分的２次補間（Ｐｉｅｃｅｗｉｓｅ  Ｑｕａｄｒａｔｉｃ  Ｉｎｔｅｒｐｏｌａｔｉｏｎ）方法で階調レベルに対する階調電圧を生成する階調レベル及び階調電圧決定ステップとを含む。
【００１２】
前記した第４の技術的課題を達成するための本発明の一実施形態による液晶表示装置の動的キャパシタンス補償ための階調レベルの決定及びガンマ値の補正方法は、所定のガンマ値γを有する階調レベルのうちから第１階調レベルに該当する第１階調電圧を複数フレーム時間に渡って画素電極に印加する第１ステップ、前記所定のガンマ値を有する階調レベルのうちから第１階調レベルと所定の階調レベル差を有する第２レベルに該当する第２階調電圧を１フレーム時間に渡って前記画素電極に印加する第２ステップ、前記第１階調電圧を複数フレーム時間に渡って前記画素電極に印加する第３ステップ、及び前記第２階調電圧を印加する１フレーム時間の間に前記画素電極で測定された階調電圧値のうちから極点の階調電圧値を第３階調電圧として定義して、前記第１階調電圧、前記第２階調電圧及び前記第３階調電圧を動的キャパシタンス補償用の階調電圧のルックアップテーブルに保存する第４ステップを含み、複数の相異なる第１階調電圧それぞれに対して前記第１〜第４ステップを繰り返して実行する動的キャパシタンス補償ための階調電圧の保存ステップと、階調電圧に対する液晶表示装置の透過率を測定した複数のデータのうち隣接する３個の測定データ毎に、前記隣接する３個の測定データを満足する２次式係数セットを計算して第１ルックアップテーブルに保存する２次式係数セットの保存ステップと、前記所定のガンマ値γに対して階調レベルと前記液晶表示装置の透過率Ｔの関係式Ｔ＝Ｔｍａｘ*（階調レベル／階調レベルの最大値）γを満足する階調レベルと透過率を計算して第２ルックアップテーブルに保存する階調レベル及び透過率の保存ステップと、前記第１ルックアップテーブルに保存されている２次式係数セットと前記第２ルックアップテーブルに保存されている前記階調レベルと透過率を利用して、区分的２次補間方法で階調レベルに対する階調電圧を生成する階調レベル及び階調電圧決定ステップと、前記動的キャパシタンス補償用の階調電圧のルックアップテーブルに保存されている前記第１階調電圧、前記第２階調電圧及び前記第３階調電圧を前記所定のガンマ値による第１階調レベル、第２階調レベル及び第３階調レベルに変換して、前記第１階調レベルは前フレームの階調レベルに、前記第３階調レベルは現在フレームの階調レベルに、前記第２階調レベルは動的キャパシタンス補償ための階調レベルに変換する動的キャパシタンス補償の階調レベルの変換ステップとを含む。
【００１３】
前記した第１の技術的課題を達成するための本発明の別の実施形態による液晶表示装置は、液晶パネルに対する階調電圧を提供するデータ駆動部と、ＬＣＤの透過率を示して階調電圧の関数である複数のデータのうちから３個の測定されたデータ毎に２次式係数セットを保存する第１ルックアップテーブルと、所定のガンマ値に対応する階調レベルと透過率を保存する第２ルックアップテーブルと、前記第１ルックアップテーブルに保存された２次式係数セットと前記第２ルックアップテーブルに保存された階調レベルと透過率を利用して、区分的２次補間方法で階調レベルに対する階調電圧を生成して、前記階調電圧を前記データ駆動部に伝達する階調電圧生成部を含む。
【発明の効果】
【００１４】
前記したように構成された本発明の実施形態による液晶表示装置は、動的キャパシタンスを有効に補償して、停止画像及び／または動画像の画質を効果的に改善することができる。
本発明の実施形態による液晶表示装置は、一つのガンマ値による階調レベル及び階調電圧を用いても、ガンマ値別に補正された階調レベル及び階調電圧を提供することができるので、制限されたメモリー容量だけでも機能を十分に具現することができる。
前記したように構成された本発明の一実施形態による液晶表示装置における動的キャパシタンス補償のための階調レベル決定方法は、測定者依存の誤差が生じずに短時間で正確に動的キャパシタンス補償のための階調電圧値を求めることができる。
前記したように構成された本発明の一実施形態による液晶表示装置におけるガンマ値の補正方法は、任意のガンマ値に対する階調電圧と階調レベルを短時間に提供することができるので、ガンマ補正が非常に容易である。
前記したように構成された本発明の一実施形態による液晶表示装置における動的キャパシタンス補償のための階調レベルの決定方法は、動的キャパシタンス補償とガンマ補正を同時に具現することができるので、液晶表示装置の停止画像及び動画像の画質を効果的に改善することができる。
【発明を実施するための最良の形態】
【００１５】
本発明の利点及び特徴、そしてそれらを達成する方法は、添付される図面と共に詳細に後述する実施形態を参照することにより明確になるであろう。しかし、本発明は、以下で開示する実施形態に限られるものではなく多様な形態で具現されるものであり、本発明は、特許請求の範囲により定義されるものである。なお、明細書全体にわたって同一参照符号は同一構成要素を示している。
【００１６】
以下、本発明の実施形態を、図面を参照しながら詳細に説明する。
図３〜図６を参照して、本発明の第１実施形態による液晶表示装置に対して説明する。図３は、本発明の第１実施形態による液晶表示装置の構成図である。図４は、本発明の第１実施形態による液晶表示装置における動的キャパシタンス補償（ＤＣＣ）処理部の構成図である。図５は、本発明の第１実施形態による液晶表示装置における動的キャパシタンス補償のための階調レベル決定方法のフローチャートである。図６は、本発明の第１実施形態による液晶表示装置における動的キャパシタンス補償のための階調電圧の保存ステップでの第１〜第３階調電圧を示すグラフである。
【００１７】
本発明の第１実施形態による液晶表示装置は、図３に示したように、液晶パネル１１００、ゲート駆動部１２００、データ駆動部１３００、タイミング制御部１４００及び階調電圧提供部１５００を含む。
液晶パネル１１００は、複数のゲートラインＧ１〜Ｇｎと複数のデータラインＤ１〜Ｄｍにそれぞれ接続している複数の画素を含み、各画素は、複数のゲートラインＧ１〜Ｇｎの１つと複数のデータラインＤ１〜Ｄｍの１つに接続したスイッチング素子Ｍとこれに接続した液晶キャパシタＣｌｃ及びストレージキャパシタＣｓｔを含む。
【００１８】
行方向に形成されている複数のゲートラインＧ１〜Ｇｎは、対応するスイッチング素子Ｍにゲート信号を伝達し、列方向で形成されている複数のデータラインＤ１〜Ｄｍは、対応するスイッチング素子Ｍにデータ信号に該当する階調電圧を伝達する。スイッチング素子Ｍは三端子素子であって、制御端子はゲートラインＧ１〜Ｇｎに接続され、入力端子はデータラインＤ１〜Ｄｍに接続されており、出力端子は液晶キャパシタＣｌｃ及びストレージキャパシタＣｓｔの一つの端子に接続されている。スイッチング素子ＭとしてＭＯＳトランジスタが利用され、このようなＭＯＳトランジスタは、非晶質シリコンまたは多結晶シリコンをチャネル層にする薄膜トランジスタで具現される。液晶キャパシタＣｌｃは、スイッチング素子Ｍの出力端子と共通電極（図示せず）間に接続され、ストレージキャパシタＣｓｔは、スイッチング素子Ｍの出力端子と共通電極間に接続（独立配線方式）されるか又はスイッチング素子Ｍの出力端子と真上のゲートラインＧ１〜Ｇｎ間に接続（前段ゲート方式）されることができる。
【００１９】
ゲート駆動部１２００は、複数のゲートラインＧ１〜Ｇｎに接続していて、スイッチング素子Ｍを活性化させるゲート信号を複数のゲートラインＧ１〜Ｇｎに提供する。データ駆動部１３００は、複数のデータラインＤ１〜Ｄｍに接続していて、所定のガンマ値（例えば、γ＝２．２）によって定められる階調レベルに対応する階調電圧であって、データ信号に該当する階調電圧を階調電圧提供部１５００から受けて複数のデータラインＤ１〜Ｄｍに提供する。階調電圧提供部１５００は、所定のガンマ値を有する階調レベルに対する階調電圧を生成して、データ駆動部１３００に伝達する。
【００２０】
動的キャパシタンス補償（ＤＣＣ）処理部１４１０は、タイミング制御部１４００内に位置し、図４に示しているように、動的キャパシタンス補償（ＤＣＣ）階調電圧生成部１４１１と動的キャパシタンス補償階調レベル生成部１４１２で構成される。タイミング制御部１４００の制御信号生成部１４２０は、水平同期スタート信号を生成してデータ駆動部１３００に伝達し、かつゲートクロック信号を生成してゲート駆動部１２００に伝達する。動的キャパシタンス補償処理部１４１０の細部動作を、図４〜図６を参照しながら説明する。
【００２１】
図５を参照すると、動的キャパシタンス補償のための階調電圧の保存ステップＳ１１００では、まず、第１ステップＳ１１１０において、所定のガンマ値によって定められる第１階調レベルに該当する第１階調電圧Ｇｋ−１を、複数フレーム時間に渡って画素電極に印加する。次に第２ステップＳ１１２０において、第１階調レベルと所定の階調レベル差（例えば、１７×１７のルックアップテーブルを用いた場合には、所定の階調レベル差は１６）を有する第２階調レベルに該当する第２階調電圧Ｇｋ（所定のガンマ値によって定められる）を、１フレーム時間に画素電極に印加する。次に第３ステップＳ１１３０において、第１階調電圧Ｇｋ−１を複数フレーム時間に渡って画素電極に印加する。次に第４ステップＳ１１４０において、第２階調電圧Ｇｋを印加する１フレーム時間の間に画素電極で測定された階調電圧値の極点（画素キャパシタンスに依存）の階調電圧値を第３階調電圧Ｒｅｓ１と定義して、動的キャパシタンス補償階調電圧生成部１４１１は、第１階調電圧Ｇｋ−１、第２階調電圧Ｇｋ及び第３階調電圧Ｒｅｓ１を、動的キャパシタンス補償階調電圧生成部１４１１内に位置した動的キャパシタンス補償階調電圧のルックアップテーブルに保存する。なお、階調電圧の極点は、それぞれの階調電圧を印加中にディスプレイ上の輝度を測定し、該輝度の最大値に対応する電圧を、輝度と電圧との関係を表す適宜のルックアップテーブルから取得することによって、得ることができる。
このように、第２ステップＳ１１２０において、第２階調電圧Ｇｋを印加すれば、図６に示したように、第２階調電圧Ｇｋが印加される１フレーム時間の間に極点を有する応答曲線を得ることができ、この極点を測定すれば、測定者毎にそして測定時間毎に発生する誤差を効果的に抑制することができる。
【００２２】
第１階調電圧Ｇｋ−１は、第２階調電圧Ｇｋが印加される前と第２階調電圧Ｇｋが印加された後に３フレーム時間以上、画素電極に印加されることが望ましい。そしてさらに、第２階調電圧Ｇｋが印加される前と第２階調電圧Ｇｋが印加された後に等しいフレーム時間、画素電極に印加されることが望ましい。これにより、第２階調電圧Ｇｋが印加された後に次の第１階調電圧Ｇｋ−１が印加された時の液晶の応答時間が非常に大きい場合にも、第３階調電圧Ｒｅｓ１をより効果的に測定することができる。
【００２３】
動的キャパシタンス補償階調電圧の保存ステップＳ１１００は、複数の相異なる第１階調電圧Ｇｋ−１それぞれに対して第１〜第４ステップＳ１１１０〜Ｓ１１４０を１回ずつ実施する。第１階調電圧Ｇｋ−１及び第２階調電圧Ｇｋの個数と動的キャパシタンス補償階調電圧の正確性は、相互にトレードオフ関係にある。それゆえ、メモリー容量の制限及び動的キャパシタンス補償階調電圧の正確性を考慮して、測定に供する第１階調電圧Ｇｋ−１及び第２階調電圧Ｇｋの組数を決定する必要がある。
【００２４】
次に、動的キャパシタンス補償階調レベルの変換ステップＳ１２００では、動的キャパシタンス補償階調レベル生成部１４１２のメモリー制御部１４１２_２は、動的キャパシタンス補償階調電圧のルックアップテーブルに保存されている第１階調電圧Ｇｋ−１、第２階調電圧Ｇｋ及び第３階調電圧Ｒｅｓ１を、階調レベルによる階調電圧を階調電圧提供部１５００から受けて、所定のガンマ値に応じた第１階調レベル、第２階調レベル及び第３階調レベルに変換する。第１階調レベルは前フレームの階調レベルであり、第３階調レベルは現在フレーム間の階調レベルであり、第２階調レベルは動的キャパシタンス補償の階調レベルである。これら変換された階調レベルを、フレームメモリー１（１４１２_３）に保存する。
その後、外部のグラフィックソースから現在フレームデータが動的キャパシタンス補償（ＤＣＣ）ブロック１４１２_１とメモリー制御部１４１２_２に伝達されたとき、メモリー制御部１４１２_２によってフレームメモリー２（１４１２_４）に保存されていた前フレームデータが入力される。動的キャパシタンス補償ブロック１４１２_１は、現在フレームデータの階調レベルと前フレームデータの階調レベルを比較し、その比較結果によってデータ駆動部１３００に動的キャパシタンス補償階調レベルを提供する。そして、入力された現在フレームデータは、メモリー制御部１４１２_２によってフレームメモリー３（１４１２_５）に保存される。
【００２５】
動的キャパシタンス補償階調電圧のルックアップテーブルには、動的キャパシタンス補償に対するデータが階調電圧で保存されているため、ガンマ値が補正されても、階調電圧提供部１５００から提供される階調電圧に対する階調レベルによって、動的キャパシタンス補償階調レベル生成部１４１２は、容易に動的キャパシタンス補償階調レベルを提供することができる。
【００２６】
図７〜図１０を参照して、本発明の第２実施形態による液晶表示装置及び該液晶表示装置におけるガンマ値補正方法を説明する。図７は、本発明の第２実施形態による液晶表示装置の構成図である。図８は、本発明の第２実施形態による液晶表示装置におけるガンマ値補正方法のフローチャートである。図９Ａは、本発明の第２実施形態による液晶表示装置における階調電圧対透過率のグラフである。図９Ｂは、本発明の第２実施形態による液晶表示装置における階調電圧対透過率の曲線を区分的２次補間方法で近似するグラフである。図１０は、本発明の第２実施形態による液晶表示装置におけるガンマ値に依存する階調レベル対透過率のグラフである。なお、第２実施形態による液晶表示装置の以下の説明においては、本発明の上述した第１実施形態による液晶表示装置と等しい点は説明を省略し、相異なる点についてのみ説明する。
【００２７】
本発明の第２実施形態による液晶表示装置は、図７に示したように、液晶パネル２１００、ゲート駆動部２２００、データ駆動部２３００、タイミング制御部２４００及び階調電圧提供部２５００を含む。
タイミング制御部２４００は、水平同期スタート信号を生成してデータ駆動部２３００に伝達し、またゲートクロック信号を生成してゲート駆動部２２００に伝達する。
階調電圧提供部２５００は、２次式係数セットのルックアップテーブル２５１０、階調レベル及び透過率のルックアップテーブル２５２０及び階調電圧生成部２５３０で構成される。階調電圧提供部２５００の細部動作を、図８〜図１０を参照して説明する。
【００２８】
まず、図８を参照すると、２次式係数セットの保存ステップＳ２１１０では、階調電圧に対する液晶表示装置の透過率を測定した複数のデータのうち隣接する３個の測定データ毎に、隣接する３個の測定データを満足する２次式係数セットを計算して２次式係数セットのルックアップテーブル２５１０に保存する。具体的には、図９Ｂに示したように、階調電圧に対する透過率を５個の地点で測定した場合、（ｘ１、ｙ１）、（ｘ２、ｙ２）、（ｘ３、ｙ３）、（ｘ４、ｙ４）、（ｘ５、ｙ５）の測定された５個のデータのうちから隣接した３個の測定データ、（ｘ１、ｙ１）、（ｘ２、ｙ２）、（ｘ３、ｙ３）を満足する２次式を表現すれば、以下の式（１）のように表すことができる。ここでｘは階調電圧を示しており、ｙは透過率を示す。
ｙ＝ｐ１*ｘ２＋ｐ２*ｘ＋ｐ３        （１）
【００２９】
これを式（２）〜式（５）のようにベクトルで表現すれば、３個の測定データを過ぎる式１の２次式係数は、式（６）のように簡単に計算することができる。
【数１】
2006072361.tif 000003
【００３０】
続いて、隣接する３個の（ｘ２、ｙ２）、（ｘ３、ｙ３）、（ｘ４、ｙ５）、あるいは（ｘ３、ｙ３）、（ｘ４、ｙ４）、（ｘ５、ｙ５）を用いるか、あるいは３つの測定データのうち（ｘ２、ｙ２）、（ｘ３、ｙ３）の２個データを重畳して用いるか、又は（ｘ３、ｙ３）の一つのデータを重畳して用いて、満足する２次式の係数セットを計算し、得られた２次式係数セットをルックアップテーブル２５１０に保存する。これにより、連続的な２次曲線を形成することができる。このような連続的な２次式曲線を求めることによって、図９Ａに示した階調電圧に対する透過率を表す近似曲線で示されるデータを容易に生成することができる。そして、図９Ｂに示したように、２次曲線を利用して近似することによって、線形近似に比べて実際曲線との誤差を効果的に減少させることができる。また、測定データの個数と階調電圧に対する透過率の正確度は相互にトレードオフ関係にあるが、メモリー容量の制限を考慮すれば、透過率が高い領域と透過率が低い領域は相対的に目が細かい間隔でデータを測定し、透過率が中間程度の領域は粗い間隔の非等間隔でデータを測定すれば、実際曲線との誤差を効果的に減少させることができる。
【００３１】
次に、階調レベル及び透過率の保存ステップＳ２１２０では、階調電圧生成部２５３０は、所定のガンマ値γに対して図１０に示したように、階調レベルと液晶表示装置の透過率Ｔの関係が式（７）を満足する階調レベルと透過率を計算して、得られた階調レベル及び透過率をルックアップテーブル２５２０に保存する。
Ｔ
＝Ｔｍａｘ*（階調レベル／階調レベルの最大値）γ      （７）
【００３２】
この時、階調電圧生成部２５３０は、所定のガンマ値が所定の階調レベルの範囲（例えば０階調レベルから２００階調レベル）と所定の階調レベルの範囲外で異なる場合に、各ガンマ値に該当する階調レベルと透過率を計算し、得られた階調レベル及び透過率をルックアップテーブル２５２０に保存し、動的ガンマ補償（Ｄｙｎａｍｉｃ  Ｇａｍｍａ  Ｃａｐｔｕｒｅ／Ｃｏｍｐｅｎｓａｔｉｏｎ；ＤＧＣ）のように、画面の輝度情報を分析して輝度ヒストグラムを抽出し、該ヒストグラムを基礎にしてガンマ値を調整する場合、すなわちガンマ値が３個以上である場合にも、各ガンマ値に該当する階調レベルと透過率を計算し、得られた階調レベル及び透過率をルックアップテーブル２５２０に保存する。これにより、停止画像の画質をさらに効果的に改善することができる。ここで、２次式係数セットの保存ステップＳ２１１０と階調レベル及び透過率の保存ステップＳ２１２０は、順序を守って遂行する必要はない。
【００３３】
次に、階調電圧生成部２５３０は、ガンマ値が変更されるかを確認Ｓ２２００する。ガンマ値が変更される場合に、階調レベル及び透過率更新ステップＳ２３００において、変更されたガンマ値γ１に対して式（８）を満足する新しい透過率を計算し、得られた階調レベル及び透過率をルックアップテーブル２５２０に保存する。
Ｔ
＝Ｔｍａｘ*（階調レベル／階調レベルの最大値）γ１        （８）
【００３４】
次に、階調レベル及び階調電圧決定ステップＳ２４００において、階調電圧生成部２５３０は、２次式係数セットのルックアップテーブル２５１０に保存されている２次式係数セットと、階調レベル及び透過率のルックアップテーブル２５２０に保存されている変更されたガンマ値γ１に対する階調レベルと透過率を利用して、区分的２次補間方法で変更されたガンマ値γ１に対する階調レベルに対する階調電圧を生成する。すなわち、式（９）のｙに階調レベルに対する透過率を代入してxを求めることによって、階調レベルに対する階調電圧を生成する。
ｙ
＝ｐ１*（ｘ１２＋Δｘ）＋ｐ２*（ｘ１＋Δｘ）＋ｐ３        （９）
【００３５】
その結果、変更されたガンマ値に対する新しい階調レベル及び階調電圧の関係が得られる。これにより、ガンマ値を液晶表示装置の液晶種類や周辺光量にしたがって容易に補正することができるので、液晶表示装置の画面全体の輝度が調節されて、停止画像の画質を效果的に改善することができる。
ガンマ値が変更されない場合には、既存の階調レベル及び階調電圧を維持する。
【００３６】
図１１〜図１３を参照して、本発明の第３実施形態による液晶表示装置と該液晶表示装置における動的キャパシタンス補償階調電圧の決定及びガンマ値の補正方法を説明する。図１１は、本発明の第３実施形態による液晶表示装置の構成図である。図１２は、本発明の第３実施形態による液晶表示装置における動的キャパシタンス補償処理部の構成図である。図１３は、本発明の第３実施形態による液晶表示装置における動的キャパシタンス補償階調レベルの決定及びガンマ値の補正方法のフローチャートである。第３実施形態による液晶表示装置に関する以下の説明において、本発明の第１及び第２実施形態による液晶表示装置と等しい点は説明を省略し、異なる点に対して説明する。
【００３７】
本発明の第３実施形態による液晶表示装置は、図１１に示したように、液晶パネル３１００、ゲート駆動部３２００、データ駆動部３３００、動的キャパシタンス補償（ＤＣＣ）処理部３４１０及び階調電圧提供部３５００を含む。動的キャパシタンス補償処理部３４１０と階調電圧提供部３５００の細部動作を、図１２及び図１３を参照しながら説明する。
【００３８】
まず、図１３を参照すると、動的キャパシタンス補償階調電圧の保存ステップＳ３１００において、動的キャパシタンス補償（ＤＣＣ）階調電圧生成部３４１１は、第１階調電圧Ｇｋ−１、第２階調電圧Ｇｋ及び第３階調電圧Ｒｅｓ１を動的キャパシタンス補償階調電圧生成部３４１１内に位置した動的キャパシタンス補償階調電圧のルックアップテーブルに保存する。
次に、２次式係数セットの保存ステップＳ３２００において、階調電圧に対する液晶表示装置の透過率を測定した複数のデータのうち隣接する３個の測定データ毎に、隣接する３個の測定データを満足する２次式係数セットを計算し、得られた２次式係数セットをルックアップテーブル３５１０に保存する。
【００３９】
次に、階調レベル及び透過率の保存ステップＳ３３００において、階調電圧生成部３５３０は、所定のガンマ値γに対して階調レベルと液晶表示装置の透過率Ｔの関係が式（７）を満足する階調レベル及び透過率を計算して、得られた階調レベル及び透過率をルックアップテーブル３５２０に保存する。ここで、動的キャパシタンス補償階調電圧の保存ステップＳ３１００、２次式係数セットの保存ステップＳ３２００、階調レベル及び透過率の保存ステップＳ３３００は、順序を守って遂行する必要はない。
【００４０】
次に、階調電圧生成部３５３０は、ガンマ値が変更されるかどうかを確認（Ｓ３４００）して、ガンマ値が変更される場合に、階調レベル及び階調電圧更新ステップＳ３５００において、階調レベル及び透過率の保存ステップＳ３３００後に変更されたガンマ値γ１に対して式（８）を満足する階調レベルに対する新しい透過率を計算し、得られた階調レベル及び透過率をルックアップテーブル３５２０に保存する。
【００４１】
次に、階調レベル及び階調電圧決定ステップＳ３６００において、階調電圧生成部３５３０は、２次式係数セットのルックアップテーブル３５１０に保存されている２次式係数セットと、階調レベル及び透過率のルックアップテーブル３５２０に保存されている変更されたガンマ値γ１に対する階調レベル及び透過率を利用して、区分的２次補間方法により、変更されたガンマ値γ１に対する階調レベル及び階調電圧を生成する。その結果、変更されたガンマ値に対する新しい階調レベル及び階調電圧の関係が得られる。
ガンマ値が変更されない場合には、既存の階調レベル及び階調電圧を維持する。
【００４２】
次に、動的キャパシタンス補償階調レベルの変換ステップＳ３７００において、動的キャパシタンス補償階調レベル生成部３４１２のメモリー制御部３４１２_２は、変更前または補正後のガンマ値に対する階調レベル及び階調電圧を階調電圧提供部３５００から受けて、動的キャパシタンス補償階調電圧のルックアップテーブルに保存されている第１階調電圧Ｇｋ−１、第２階調電圧Ｇｋ及び第３階調電圧Ｒｅｓ１を、選択されたガンマ値による第１階調レベル、第２階調レベル及び第３階調レベルに変換する。第１階調レベルは、前フレーム時間の階調レベルであり、第３階調レベルは、現在のフレーム時間の階調レベルであり、第２階調レベルは、動的キャパシタンス補償階調レベルであり、これらはフレームメモリー１（３４１２_３）に保存される。
【００４３】
動的キャパシタンス補償階調電圧のルックアップテーブルには、動的キャパシタンス補償に対するデータが階調電圧で保存されているため、ガンマ値が補正されても、階調電圧提供部３５００から提供される補正されたガンマ値に対する階調レベル及び階調電圧を用いて、動的キャパシタンス補償階調レベル生成部は、容易に動的キャパシタンス補償階調レベルを提供することができる。そして、階調電圧提供部３５００は、２次式係数セットのルックアップテーブル３５１０と階調レベル及び透過率のルックアップテーブル３５２０を利用して、ガンマ値を液晶表示装置の液晶種類や周辺光量にしたがって容易に補正することができるので、液晶表示装置の画面全体の輝度が調節されて停止画像の画質を効果的に改善することができる。したがって、本発明の第３実施形態による液晶表示装置は、動画像の画質及び停止画像の画質を効果的に改善することができる。
【００４４】
以上、添付した図面を参照して本発明の実施形態を説明したが、本発明が属する技術分野における当業者は、本発明の技術的思想や必須な特徴を変更せずに、他の形態で実施できるということを理解することができるであろう。よって、上述した実施形態がすべての面で例示的なことであって限定的ではないことを、理解すべきである。
【図面の簡単な説明】
【００４５】
【図１】従来の液晶表示装置のガンマ値を調節する方法を示す回路図である。
【図２】従来の液晶表示装置の動的キャパシタンス補償方法を適用するための最適の液晶応答曲線を示すグラフである。
【図３】本発明の第１実施形態による液晶表示装置の構成図である。
【図４】図３に示した液晶表示装置の動的キャパシタンス補償処理部の構成図である。
【図５】図４に示した動的キャパシタンス補償処理部における動的キャパシタンス補償階調レベルの決定方法のフローチャートである。
【図６】図５に示した決定方法のうちの、動的キャパシタンス補償の階調電圧の保存ステップにおいて保存される第１〜第３階調電圧を示すグラフである。
【図７】本発明の第２実施形態による液晶表示装置の構成図である。
【図８】図７に示した液晶表示装置におけるガンマ値の補正方法のフローチャートである。
【図９Ａ】図８に示した補正方法において生成される階調電圧対透過率のグラフである。
【図９Ｂ】図８に示した補正方法において実行される、階調電圧対透過率の曲線を区分的２次補間方法で近似させることを示すグラフである。
【図１０】図８に示した補正方法において実行される、ガンマ値に依存して変更される階調レベル対透過率のグラフである。
【図１１】本発明の第３実施形態による液晶表示装置の構成図である。
【図１２】図１１に示した液晶表示装置における動的キャパシタンス補償処理部の構成図である。
【図１３】図１２に示した動的キャパシタンス補償処理部における動的キャパシタンス補償階調レベルの決定及びガンマ値の補正方法のフローチャートである。
【図１】
2006072361.tif 000004
【図２】
2006072361.tif 000005
【図３】
2006072361.tif 000006
【図４】
2006072361.tif 000007
【図５】
2006072361.tif 000008
【図６】
2006072361.tif 000009
【図７】
2006072361.tif 000010
【図８】
2006072361.tif 000011
【図９Ａ】
2006072361.tif 000012
【図９Ｂ】
2006072361.tif 000013
【図１０】
2006072361.tif 000014
【図１１】
2006072361.tif 000015
【図１２】
2006072361.tif 000016
【図１３】
2006072361.tif 000017